(57)【特許請求の範囲】
【請求項１】
１，１−ジクロロオクタフルオロシクロペンタンを触媒の存在下水素により還元して１−クロロヘプタフルオロシクロペンテンを製造する方法であって、触媒が銅−パラジウム触媒、モリブデン−パラジウム触媒、スズ−パラジウム触媒、銀−パラジウム触媒、または白金触媒であることを特徴とする、１−クロロヘプタフルオロシクロペンテンの製造方法。
【請求項２】
触媒が金属成分を担体に担持した担持触媒である請求項１に記載の１−クロロヘプタフルオロシクロペンテンの製造方法。
【０００１】
【発明の詳細な説明】
【０００１】
【発明の属する技術分野】
本発明は、還元反応による１−クロロ−２，３，３，４，４，５，５−ヘプタフルオロシクロペンテン（本明細書において「１−クロロヘプタフルオロシクロペンテン」ということがある。）の製造方法に関する。１−クロロヘプタフルオロシクロペンテンは、冷媒、発泡剤、溶剤として有用な化合物であるヘプタフルオロシクロペンタンの製造原料となる。
【０００２】
【従来の技術】
１−クロロヘプタフルオロシクロペンテンを得る方法としては、１，２−ジクロロヘキサフルオロシクロペンテンを有機溶媒中フッ化カリウムにより塩素−フッ素交換を行う方法が知られている。
【０００３】
【発明が解決しようとする課題】
しかしながら、この方法は固体のフッ化カリウムを有機溶媒とともに使用するので、これらの混合した副生成物が等モル量発生するため、その処理が大きな問題となる。
【０００４】
そこで、本発明は、処理の困難な廃棄物の発生を伴わない、クリーンな１−クロロヘプタフルオロシクロペンテンの製造方法を提供する。
【０００５】
【課題を解決するための手段】
発明者らは、上記課題を解決すべく検討を重ねた結果、１，１−ジクロロオクタフルオロシクロペンタンを特定の触媒の存在下に水素で還元することでただ一つの塩素原子を選択的に還元することができ目的とする１−クロロヘプタフルオロシクロペンテンが得られることを見いだし、本発明を完成するに至った。
【０００６】
すなわち、本発明は１，１−ジクロロオクタフルオロシクロペンタンを触媒の存在下水素により還元して１−クロロヘプタフルオロシクロペンテンを製造する方法であって、触媒が銅−パラジウム触媒、モリブデン−パラジウム触媒、スズ−パラジウム触媒、銀−パラジウム触媒、または白金触媒であることを特徴とする、１−クロロヘプタフルオロシクロペンテンの製造方法である。
【０００７】
１，１−ジクロロオクタフルオロシクロペンタンはどの様な方法で製造したものであってもよいが、例えば、米国特許第５４１６２４６号明細書に記載された１，２−ジクロロオクタフルオロシクロペンタンを塩素化フッ素化アルミ(Aluminum chlorofluoride)で異性化することで得られ、また、本願出願人の出願になる特願平第１０−３１４６６１号に記載される様に１，２−ジクロロヘキフルオロシクロペンテンをフッ素化触媒の存在下塩素とフッ化水素とを同時に反応させることでも得られる。
【０００８】
上記金属の各種担体への担持濃度としては担体１００重量部あたり０．０５〜２０重量部と幅広いものが使用可能であるが、通常０．５〜１０重量部担持品が推奨される。本発明において触媒の担体としては、例えば、活性炭、アルミナ、ジルコニア、チタニア等が好適である。また担体の粒径は、ほとんど反応に影響を及ぼさないが、好ましくは、０．１〜１００mmが好適である。
【０００９】
１，１−ジクロロオクタフルオロシクロペンタンの還元反応において、水素と１，１−ジクロロオクタフルオロシクロペンタンの割合は大幅に変動させ得る。しかしながら、通常少なくとも化学量論量の水素を使用して塩素原子を水素原子に置換する。１，１−ジクロロオクタフルオロシクロペンタンの１モルに対して、化学量論量よりかなり多い量、例えば３モルまたはそれ以上の水素を使用し得る。具体的には１〜１００モル程度の範囲で使用する。水素ガスの過剰は、反応の面からは問題はないが反応装置の大型化に繋がるので好ましくない。反応圧力については常圧または常圧以上の圧力が使用し得る。
【００１０】
反応温度は０〜４５０℃、好ましくは５０〜３００℃とし、より好ましくは５０〜１５０℃で行う。液相、または気相で反応を行うことができる。接触時間は、反応を気相で行う場合には通常０．１〜３００秒、特には１〜３０秒である。
【００１１】
【実施例】
次に実施例をもって本発明を説明するが、実施態様はこれに限られない。有機物の分析はガスクロマトグラフにより行い、有機物の組成は面積％で示す。
【００１２】
［調製例１］
塩化パラジウム（ＰｄＣｌ2：Ｎ．Ｅ．Ｃｈｅｍｃａｔ製）２５ｇを５．３％塩酸で３１２ｇに希釈して４．８％パラジウム溶液を調製した。以下の全ての調製例でパラジウム溶液としてこのパラジウム溶液を使用した。
【００１３】
２００ｍｌ三角フラスコに塩化第二銅（ＣｕＣｌ2）３．７１ｇと４．８％パラジウム溶液７．３７ｇを量り取り、そこへ３０％塩酸１１０ｍｌを加えて調製した溶液を、活性炭（武田薬品工業（株）製粒状白鷺Ｇ２Ｘ−４／６）３５ｇが入った５００ｍｌナスフラスコに注入し、よく振盪した。活性炭はそのまま３昼夜静定し、次いでエバポレーターにて液体成分を留去し、乾燥し、金属含浸活性炭を得た。
【００１４】
次いで、触媒の前処理を行った。乾燥した金属含浸活性炭をステンレス鋼製反応管（内径１６ｍｍφ×長さ６６０ｍｍ）に充填し，窒素を２００ｍｌ／ｍｉｎで流しながら反応管温度を８５℃まで昇温し、その後窒素流量を５０ｍｌ／ｍｉｎに下げ同時に水素を１７８ｍｌ／ｍｉｎで流し始めた。それから１５０℃まで昇温し、さらに６０℃／ｈｒの昇温速度で３００℃まで上げ、そのまま４時間保持した。その後、反応管が５０℃以下になるまで水素を流し続け、触媒の調製を行い、銅パラジウム活性炭担持触媒を得た。この触媒は、活性炭重量に対して銅５％とパラジウム１％の担持量である。
【００１５】
［調製例２］
塩化第二銅（ＣｕＣｌ2）３．７１ｇの代わりに塩化ビスマス（ＢｉＣｌ2）２．６４ｇを使用して調製例１と同様に触媒を調製した。前処理は１５０℃、４時間保持で行った。この触媒は、活性炭重量に対してビスマス５％とパラジウム１％の担持量である。
【００２０】
［調製例３］
塩化第二銅（ＣｕＣｌ2）３．７１ｇの代わりに塩化ビスマス（ＢｉＣｌ2）１．５８ｇを使用して調製例１と同様に触媒を調製した。前処理は１５０℃、４時間保持で行った。この触媒は、活性炭重量に対してビスマス３％とパラジウム１％の担持量である。
【００１６】
［調製例４］
塩化第二銅（ＣｕＣｌ2）３．７１ｇの代わりに塩化ビスマス（ＢｉＣｌ2）０．５３ｇを使用して調製例１と同様に触媒を調製した。前処理は１５０℃、４時間保持で行った。この触媒は、活性炭重量に対してパラジウム１％とパラジウム１％の担持量である。
【００１７】
［調製例５］
塩化第二銅（ＣｕＣｌ2）３．７１ｇの代わりに５塩化モリブデン（ＭｏＣｌ5）４．９９ｇを使用して調製例１と同様に触媒を調製した。この触媒は、活性炭重量に対してモリブデン５％とパラジウム１％の担持量である。
【００１８】
［調製例６］
塩化第二銅（ＣｕＣｌ2）３．７１ｇの代わりに塩化スズ二水和物（ＳｎＣｌ2・２Ｈ2Ｏ）３．３２ｇを使用して調製例１と同様に触媒を調製した。前処理は２１０℃、４時間保持で行った。この触媒は、活性炭重量に対してスズ５％とパラジウム１％の担持量である。
【００１９】
［調製例７］
塩化第二銅（ＣｕＣｌ2）３．７１ｇの代わりに塩化鉄（ＦｅＣｌ3）５．０８ｇを使用して調製例１と同様に触媒を調製した。この触媒は、活性炭重量に対して鉄５％とパラジウム１％の担持量である。
【００２０】
［調製例８］
塩化第二銅（ＣｕＣｌ2）３．７１ｇの代わりに塩化亜鉛（ＺｎＣｌ2）３．６６ｇを使用して調製例１と同様に触媒を調製した。この触媒は、活性炭重量に対して亜鉛５％とパラジウム１％の担持量である。
【００２１】
［調製例９］
２００ｍｌ三角フラスコに硝酸銀（ＡｇＮＯ3）２．７５ｇとパラジウム硝酸溶液（２４．４９％Ｐｄ硝酸溶液：Ｎ．Ｅ．Ｃｈｅｍｃａｔ製）１．４２ｇを量り取り、そこへ３０％硝酸１１０ｍｌを加えて調製した溶液を、活性炭（武田薬品工業（株）製粒状白鷺Ｇ２Ｘ−４／６）３５ｇが入った５００ｍｌナスフラスコに注入し、よく振盪した。活性炭はそのまま３昼夜静定し、次いでエバポレーターにて液体成分を留去し、乾燥し、金属含浸活性炭を得た。
【００２２】
次いで、調製例１と同様に触媒の前処理を行った。この触媒は、活性炭重量に対して銀５％とパラジウム１％の担持量である。
【００２３】
［調製例１０］
硝酸銀（ＡｇＮＯ3）２．７５ｇの代わりに硝酸銅三水和物（Ｃｕ（ＮＯ3）2・３Ｈ2Ｏ）６．６２ｇを使用して調製例９と同様に触媒を調製した。この触媒は、活性炭重量に対して銅５％とパラジウム１％の担持量である。
【００２４】
［調製例１１］
２００ｍｌ三角フラスコにヘキサクロロ白金酸六水和物（Ｈ2ＰｔＣｌ6・６Ｈ2Ｏ）０．４６４９ｇを量り取り、そこへ３０％塩酸１１０ｍｌを加えて調製した溶液を、活性炭（武田薬品工業（株）製粒状白鷺Ｇ２Ｘ−４／６）３５ｇが入った５００ｍｌナスフラスコに注入し、よく振盪した。活性炭はそのまま３昼夜静定し、次いでエバポレーターにて液体成分を留去し、乾燥し、金属含浸活性炭を得た。
【００２５】
次いで、調製例１と同様に触媒の前処理を行った。この触媒は、活性炭重量に対して白金１％の担持量である。
【００２６】
［調製例１２］
３００ｍｌナス型フラスコに活性炭（武田薬品工業(株)製粒状白鷺  Ｇ２Ｘ−４／６）を６０ｇ秤取り、次に、予めヘキサクロロ白金（ＩＶ）酸・六水和物（Ｈ2ＰｔＣｌ6・６Ｈ2Ｏ）０．７９６ｇを３０％塩酸１００ｍｌに溶解した溶液を注入し、２日間静置した。
【００２７】
2日間静置した金属含浸活性炭をエバポレーターにてバス温を１５０℃まで上げて減圧乾燥した。次いで、乾燥された金属含浸活性炭を反応管（２５ｍｍφ×４００ｍｍ容量約２００ｍｌ）に充填し，窒素を２００〜３００ｍｌ／ｍｉｎ流しながら，１５０℃から３００℃まで５０℃刻みに昇温し焼成した。３００℃で1時間焼成し、設定温度を１５０℃に下げ窒素１００ｍｌ／ｍｉｎ、水素３００ｍｌ／ｍｉｎ流しながら３００℃まで３０℃刻みに再び昇温し還元を行い、触媒を調製した。白金は活性炭重量の０．５％である。
【００２８】
全ての触媒は反応管に充填したまま実施例の反応に供した。
【００２９】
［実施例１］
調製例１で調製した触媒が充填されたステンレス製反応管（内径１６ｍｍφ×長さ６６０ｍｍ）の上流側に気化器を設け、１１０℃に設定した気化器を通して窒素５０ｍｌ／ｍｉｎ、水素１７８ｍｌ／ｍｉｎを導入しながら反応管温度を８５℃に設定して昇温を始めた。設定温度に達して３０分後に反応管へ、気化器で気化させた原料有機物１，１−ジクロロオクタフルオロシクロペンタンを０．２ｇ／ｍｉｎの流量で導入した。しばらくすると反応は安定した。有機物原料供給開始６時間後に反応生成ガスを、ガスクロマトグラフィーによって分析したところ、１−クロロヘプタフルオロシクロペンテンが９５．６％（面積％、以下同じ）、１−クロロ−２，２，３，３，４，４，５、５−オクタフルオロシクロペンタンが３．１％、未反応の１，１−ジクロロ−２，２，３，３，４，４，５，５−オクタフルオロシクロペンタンが０．３％であった。結果を表1に示した。
【００３０】
【表１】
0003897081.tif 000002
【００３１】
［実施例２〜６、および比較例１〜５］
調製例２〜１１で調製した触媒について、実施例１と同様の反応を行った。実施例３では、反応温度のみを１００℃、１２０℃に変えた反応も行った。結果を表１に示した。
【００３２】
［実施例７］
調製例１２で調製した触媒を１２０ｍｌ充填したＳＵＳ３０４製反応管（２５ｍｍφ×４００ｍｍ容量約２００ｍｌ）に、窒素１００ｍｌ／ｍｉｎ、水素３４０ｍｌ／ｍｉｎを導入しながら反応管温度を８５℃に設定して昇温を始めた。設定温度に達した反応管に、反応管上部に横型に設置した１１０℃に設定した有機物気化器（１８ｍｍφ×３００ｍｍ）でガス化させた原料有機物１，１−ジクロロオクタフルオロシクロペンタンを０．２ｇ／ｍｉｎの流量で導入した。反応生成ガスは、ガスクロマトグラフィーによって分析した。結果を表１に示した。
【００３３】
【発明の効果】
本発明の方法は、１，１−ジクロロオクタフルオロシクロペンタンから極めて高い選択率で１−クロロ−２，３，３，４，４，５，５−ヘプタフルオロシクロペンテンを製造できるという効果を奏する。